(57)【特許請求の範囲】
【請求項１】
一対の縦材と横材とを方形に組み立ててなる矩形枠の内側に矩形パネルの縁部を嵌込み装着する掲示物パネルの嵌合装置において、
上記矩形枠に対設された縦材又は横材の少なくとも一方の内側に沿って形成された溝内にアタッチメントを装着し、このアタッチメントに、開口側が幅広で奥側が幅狭の階段状のパネル嵌合溝を形成し、上記矩形パネルの縁部をその板厚に対応する上記パネル嵌合溝の溝幅の位置に嵌込み装着したことを特徴とする掲示物パネル装置。
【請求項２】
前記パネル嵌合溝は、対向する溝壁面のうち一方の溝壁面が平面状で他方の溝壁面が階段状に形成された請求項１記載の掲示物パネル装置。
【請求項３】
前記パネル嵌合溝の階段状の溝壁面は、前記掲示物パネルの裏側に形成された請求項２記載の掲示物パネル装置。
【請求項４】
前記パネル嵌合溝は、対向する両溝壁面が階段状に形成された請求項１記載の掲示物パネル装置。
【請求項５】
一対の縦材と横材とを方形に組み立ててなる矩形枠の内側に矩形パネルの縁部を嵌込み装着する掲示物パネルの嵌合装置において、
上記矩形枠に対設された縦材又は横材の少なくとも一方の幅方向の両側に沿って、開口側が幅広で奥側が幅狭の階段状のパネル嵌合溝を平行に形成するとともに、このパネル嵌合溝の、対向する溝壁面のうち一方の溝壁を平面状で他方の溝壁面を階段状に形成するとともに、階段状の溝壁面は上記各掲示物パネルの裏側に形成され、上記矩形パネルの縁部をその板厚に対応する上記パネル嵌合溝の溝幅の位置に嵌込み装着したことを特徴とする掲示物パネル装置。
【請求項６】
上記パネル嵌合溝の階段状の溝壁面は奥になるにつれて肉厚に形成された請求項５記載の掲示物パネル装置。
【請求項７】
一対の縦材と横材とを方形に組み立ててなる矩形枠の内側に矩形パネルの縁部を嵌込み装着する掲示物パネルの嵌合装置において、
上記矩形枠に対設された縦材又は横材の少なくとも一方の内側に沿って開口側が幅広で奥側が幅狭の階段状のパネル嵌合溝を形成し、このパネル嵌合溝の溝壁の裏側にコーナー連結具を挿入するための中空部を形成するとともに、上記矩形パネルの縁部をその板厚に対応する上記パネル嵌合溝の溝幅の位置に嵌込み装着することを特徴とする掲示物パネル装置。
【請求項８】
前記矩形パネルは帯状パネルであって、前記矩形枠の内側に複数の帯状パネルが並列して配置された請求項１〜７のいずれかに記載の掲示物パネル装置。
【発明の詳細な説明】
【０００１】
本発明は広告、案内などを表示する掲示物パネルを枠に嵌合するための嵌合装置に関する。
【０００２】
【従来技術】
この種の掲示物パネルは通常は枠体の内側に嵌込まれている場合が多いのであるが、従来は図２１に示されるように、枠体２４の内周に形成された嵌合溝２５に掲示物パネル２６を嵌合していた。そして、嵌合溝２５の溝幅はパネル２６の厚さに対応するように形成されていた。したがって、嵌合溝２５に合わせてパネル２６を、またはパネル２６に合わせて嵌合溝２５を形成しておかなければならなかった。
【０００３】
【発明が解決しようとする課題】
しかしながら、上述のような構造では、一つの枠体には決められた肉厚の掲示物パネルしか取り付けることができないことになるから、パネルを交換するときなど、嵌合溝の溝幅を予め測定して適合する厚さのものを多種類用意しなければならないので、対応が非常に煩雑であった。
【０００４】
本発明は上記問題点を解消し、いろいろな肉厚の掲示物パネルに対応して嵌合できる掲示物パネル装置を提供することをその課題とする。
【０００５】
【課題を解決するための手段】
前記課題を解決するため、本発明に係る掲示物パネル装置は、一対の縦材と横材とを方形に組み立ててなる矩形枠の内側に矩形パネルの縁部を嵌込み装着する掲示物パネルの嵌合装置において、上記矩形枠に対設された縦材又は横材の少なくとも一方のそれぞれの内側に沿って形成された溝内にアタッチメントを装着し、このアタッチメントに、開口側が幅広で奥側が幅狭の階段状のパネル嵌合溝を形成し、上記矩形パネルの縁部をその板厚に対応する上記パネル嵌合溝の溝幅の位置に嵌込み装着したことを特徴とする。
【０００６】
前記パネル嵌合溝は、対向する溝壁面のうち一方の溝壁面が平面状で他方の溝壁面が階段状に形成されるようにしてもよい。
【０００７】
前記パネル嵌合溝の階段状の溝壁面は、前記掲示物パネルの裏側に形成するのが好ましい。
【０００８】
前記パネル嵌合溝は、対向する両溝壁面が階段状に形成されるようにしてもよい。
【０００９】
また、本発明に係る掲示物パネル装置は、一対の縦材と横材とを方形に組み立ててなる矩形枠の内側に矩形パネルの縁部を嵌込み装着する掲示物パネルの嵌合装置において、
上記矩形枠に対設された縦材又は横材の少なくとも一方の幅方向の両側に沿って、開口側が幅広で奥側が幅狭の階段状のパネル嵌合溝を平行に形成するとともに、このパネル嵌合溝の、対向する溝壁面のうち一方の溝壁を平面状で他方の溝壁面を階段状に形成するとともに、階段状の溝壁面は上記各掲示物パネルの裏側に形成され、上記矩形パネルの縁部をその板厚に対応する上記パネル嵌合溝の溝幅の位置に嵌込み装着したことを特徴とする。
【００１０】
前記パネル嵌合溝の階段状の溝壁面は奥になるにつれて肉厚に形成するのが好ましい。
【００１１】
さらに、本発明に係る掲示物パネル装置は、一対の縦材と横材とを方形に組み立ててなる矩形枠の内側に矩形パネルの縁部を嵌込み装着する掲示物パネルの嵌合装置において、
上記矩形枠に対設された縦材又は横材の少なくとも一方の内側に沿って開口側が幅広で奥側が幅狭の階段状のパネル嵌合溝を形成し、このパネル嵌合溝の溝壁の裏側にコーナー連結具を挿入するための中空部を形成するとともに、上記矩形パネルの縁部をその板厚に対応する上記パネル嵌合溝の溝幅の位置に嵌込み装着することを特徴とする。
【００１２】
前記矩形パネルは帯状パネルであって、前記矩形枠の内側に複数の帯状パネルが並列して配置されるようにしてもよい。
【００１３】
【発明の実施の形態】
図１は本発明に係る立て看板の正面図で、同図において符号１は矩形枠を示す。矩形枠１は縦材１ａと横材１ｂとを方形に組み立ててなり、その内側に掲示物パネル２を装着してなるものである。
【００１４】
上記掲示物パネル２はアクリル、ガラス、木、金属等のパネル材から成り、矩形枠１の内側に嵌込み装着されている。すなわち、矩形枠１を構成する縦材１ａと横材１ｂとは図２、図３に示されるように、アルミニウムの押出型材又はステンレス製の折り曲げ材により外周側に中空部３が形成され、内周側にはあり溝４が形成されている。あり溝４にはアタッチメント５が嵌合されている。
【００１５】
アタッチメント５はアルミニウムの押出型材又はステンレス製の折り曲げ材により形成され、図４に示されるように細長の基縁５ａの一方の面に平行な２つの対向縁５ｂを起立形成し、対向縁５ｂの上部から係合片５ｃを外方に突出形成したもので、図２のように基縁５ａと係合片５ｃとが縦材１ａの中空部３に嵌合でき、対向縁５ｂが縦材１ａのあり溝４の内側に嵌り込むように形成されている。また、上記対向縁５ｂの互いに対向する面６は開口側が幅広で奥側が幅狭の階段状に形成されている。そして、同図に示されるように、上記アタッチメント５の嵌合によって縦材１ａの内側には、上記対向縁５ｂによって嵌合溝７が形成されている。この嵌合溝７は開口側の幅寸法が幅広で奥側の幅寸法が幅狭の階段状に形成されている。しかも、パネル２嵌合溝７の階段状の溝壁６は奥になるにつれて肉厚に形成されている。
【００１６】
上記掲示物パネル２は上記矩形枠１に嵌り込む大きさに形成され、その厚さは嵌合溝７の開口側の幅寸法と略等しくなるように形成されているものとする。
【００１７】
次に、上記矩形枠１に掲示物パネル２を嵌合するときは、図３に示すように、掲示物パネル２を矩形枠１の縦材１ａの嵌合溝７と横材１ｂのあり溝４にそれぞれ嵌合させる。その際、縦材１ａの嵌合溝７に対しては図２に拡大して示されるように開口側に嵌め込まれる。そして、掲示物パネル２の上下縁を横材１ｂのあり溝４に嵌合させ、さらに縦材１ａと横材１ｂとをネジで矩形に組めばよい。なお、アタッチメント５は掲示物パネル２の高さ分だけの長さとし、その下には縦材１ａのあり溝４内にアタッチメント５を反転させて嵌合させればよい（図２(b) 参照）。縦材１ａの小口にはカバー材２０を取り付ければよい。アタッチメント５の代わりに化粧縁１９を取り付けてもよい。
【００１８】
ところで、もしも掲示物パネル２の厚み幅寸法が嵌合溝７の奥側の幅寸法と同じであるとすれば、そのときは、縦材１ａの嵌合溝７に対しては図４に示されるように奥側に嵌め込まれる。
【００１９】
嵌合溝７を図５に示されるように多段状、例えば３段状にすれば、３種類の厚さの掲示物パネル２を嵌合することができる。さらに、図２に点線で示すように、縦材１ａのあり溝４に直接にパネルを嵌込めことによってさらに肉厚の大きい掲示物パネルにも対応することができる。
【００２０】
このように、奥に順次狭い階段状のパネル嵌合溝７のため、厚みの異なるパネル２を自由に選択することができる。
【００２１】
なお、前記パネル嵌合溝７は、図６のように、対向する溝壁面のうち一方の溝壁面７ａが平面状で他方の溝壁面７ｂが階段状になるように形成してもよい。そして、この場合、パネル嵌合溝７の階段状の溝壁面７ｂを、前記掲示物パネル２の裏側に形成するようにすれば、掲示物パネル２の表側と平面状の溝壁７ａとは連続的に見えるので、外観がよい。
【００２２】
また、パネル嵌合溝７の階段状の溝壁６は奥になるにつれて肉厚に形成されているので、掲示物パネル２の支持強度が強くなる。
【００２３】
なお、図７に示すように、縦材１ａ又は横材１ｂとアタッチメントとを一体に形成してパネル嵌合溝７を形成するようにしてもよい。
【００２４】
次に、図８は縦材１ａの幅寸法を大きくとり、矩形枠１に２枚の掲示物パネル２を間隔おいて重合装着した例で、縦材１ａの構造は図１に示したものと略同じであるが、横材１ｂは上述のアタッチメント５と同じ構造である。
【００２５】
すなわち、横材１ｂは図９、図１０のように、細長の基縁５ａの一方の面の両側縁に平行な２つの対向縁５ｂを起立形成したもので、対向縁５ｂの対向する溝壁面のうち一方の溝壁面７ａが平面状で、他方の溝壁面７ｂが階段状になり、平面状の壁面７ａが外側になるように配置されている。そして、上記横材１ｂは縦材１ａの溝ａに嵌合され、これにより横材１ｂの幅方向の両側には２条の平行な嵌合溝７が互いに離間して平行に設けられる。
【００２６】
そして、この例においても、上記嵌合溝７は開口側の幅寸法が幅広で奥側の幅寸法が幅狭の階段状に形成され、掲示物パネル２は上記矩形枠１に嵌り込む大きさに形成され、その厚さは開口側の幅寸法に略等しく形成されているものとする。
【００２７】
次に、上記矩形枠１に掲示物パネル２を嵌合するときは、図１０に示すように２枚の掲示物パネル２を矩形枠１の横材１ｂの２条の嵌合溝７と縦材１ａの凹溝４ａにそれぞれ嵌合させる。そして縦材１ａと横材１ｂとをネジで矩形に組めばよい。なお、横材１ｂの下には縦材１ａの凹溝４ａ内に嵌合されるカバー材２１で支持し、パネル２間にはスペーサ部材２２を配置する。カバー材２１に代えてアタッチメント５を反転させて取り付けてもよい。
【００２８】
上記例の場合も、図１１のように２枚の掲示物パネル２の厚さが互いに異なる場合にも対応することができる。
【００２９】
また、パネル嵌合溝の階段状の溝壁面７ｂは、前記２枚の掲示物パネル２の内側に形成されているので、各掲示物パネル２の表側と平面状の溝壁面７ａとは連続的に見えるので、外観がよい。なお、図示してはいないが図８〜図１１には縦材１ａの凹溝４ａ内に沿って前述したアタッチメント５を装着してもよい。
【００３０】
なお、図１２と図１３とは上記例のバリエーションで、それぞれ中央の連結縦材１ａには図１４(a) (b) のように中央に中空部３を形成し、この中空部３をはさんで凹溝４ａが形成されている。また、横材１ｂは図８のものと同じく、前述のアタッチメント５と同じ構造のものが使用されている。
【００３１】
次に、図１５は矩形枠１の内側に複数の掲示物分割パネル２ａを並列して装着した例で、縦材１ａの構造及び横材１ｂとしてアタッチメント５を利用することは図８の例と同じである。掲示物パネル２ａは図１６のように帯状に形成されている。そして、図１７に示すように、最上部の掲示物パネル２ａの上端は横材１ｂの嵌合溝(7) 内に嵌合され、互いに上下に又は左右に（図示なし）並列状態に配置され、前後に離間した状態に重合している。なお、前後の掲示物パネル２ａ間には裏面補強用の中桟１２が配置されている。最上部には小口蓋兼用の天板１３が配置されている。また、最下部パネル２ａの両側端の下部にはカバー材２１（アタッチメント５を反転させてもよい）を縦材１ａの内側に固定し、これによって下部横材１ｂを支持すればよい。
【００３２】
なお、上記図示例の場合、縦材１ａと横材のアタッチメント５と最下端のパネル２ａとによって矩形枠１が構成されている。
【００３３】
上記構成によれば、分割パネル２ａを並設して成るものであるから、各分割パネル別の表示が可能となる。また、分割パネル２ａを組み合わせることで全体のパネル幅を自由に変更することができるほか、全体のパネル強度も状況に応じて変更することができる。
【００３４】
次に、図１８は縦材１ａと横材１ｂとを額縁状に組み、その内側に掲示物パネル２を嵌合装着した例で、縦材１ａと横材１ｂの断面は図１９に示されるとおりであり、中空部３と階段状パネル嵌合溝７が形成され、裏側の取付縁１４を壁面、棒等にネジ止めするように構成されたものである。
【００３５】
縦材１ａと横材１ｂとはコーナー連結具１５によって連結されている。このコーナー連結具１５は、図２０に示されるように、中央にネジ穴１６が形成されたＬ字形のブロック本体１７の内側に中空部相当部１８と階段状のパネル嵌合溝７とを形成するとともに、中空部相当部１８から直角の方向に２個の挿入部１７を形成したものである。中空部相当部１８と階段状のパネル嵌合溝７とはそれぞれ縦材１ａ及び横材１ｂの中空部３とパネル嵌合溝７に対応するように形成されている。挿入部１７にもネジ穴１６ａが形成されている。
【００３６】
上記コーナー連結具１５は挿入部１７を縦材１ａと横材１ｂの中空部３に挿入することによって縦材１ａと横材１ｂとを連結することができる。また、上述の例と同様に、掲示物パネル２の厚さが異なっても、コーナー連結具１５にも階段状のパネル嵌合溝７が形成され、掲示物パネル２の角部が嵌合するので、都合がよい。ブロック本体１７のネジ穴１６を利用すれば、壁面等にネジ止め固定することができる。
【００３７】
【発明の効果】
請求項１に係る発明によれば、奥に順次狭い階段状のパネル嵌合溝のため、厚みの異なるパネルに対して対応することができる。また、矩形枠とアタッチメントとが分離構成されるので、アタッチメントとともに掲示物の交換、嵌め合いができるので、交換作業が楽であるほか、パネルを保護してその傷付きを防止することができる。
【００３８】
請求項２に係る発明によれば、さらに、パネル嵌合溝は、対向する溝壁のうち一方の溝壁が平面状で他方の溝壁が階段状に形成されているので、パネル嵌合溝の溝幅を全体的に薄くすることができる。
【００３９】
請求項３に係る発明によれば、さらに、前記パネル嵌合溝の階段状の溝壁は、前記掲示物パネルの裏側に形成されているので、各掲示物パネルの表側と平面状の溝壁とは連続的にすっきりして見えるので、外観がよい。
【００４０】
請求項４に係る発明によれば、さらに、両側壁が階段状のため、パネルの厚みの中心が変わらない。
【００４１】
請求項５に係る発明によれば、前記パネル嵌合溝は、前記縦材又は横材の幅方向の両側に離間して平行に設けられているので、さらに、掲示物パネルを前後二重に配置することができ、また、両掲示物ともに各掲示物パネルの表側と平面状の溝壁とは連続的に見えるので、外観がよい。
【００４２】
請求項６に係る発明によれば、パネル嵌合溝階段状を奥ほど厚肉のため、さらに、パネルの支持強度が強くなる。
【００４３】
請求項７に係る発明によれば、さらに、前記コーナー連結具は挿入部を縦材と横材の中空部に挿入することによって縦材と横材とを連結することができる。また、掲示物パネルの厚さが異なっても、コーナー連結金具にも階段状のパネル嵌合溝が形成され、掲示物パネルの角部が嵌合するので、その角部の切欠きが不要なパネル嵌込みができる。
【００４４】
請求項８に係る発明によれば、複数の帯状パネルを並設して成るものであるから、さらに、各帯状パネル別の表示が可能となる。また、帯状パネルを組み合わせることで全体のパネル幅を自由に変更することができるほか、全体のパネル強度も状況に応じて変更することができる。
【図面の簡単な説明】
【図１】本発明に係る掲示物パネル装置の正面図
【図２】(a) (b) はそれぞれ図１のＡーＡ線及びａーａ線上の拡大断面図
【図３】図１の掲示物パネル装置の分解斜視図
【図４】アタッチメントの拡大断面図
【図５】他のアタッチメントの断面図
【図６】別のアタッチメントの断面図
【図７】枠材とアタッチメントとを一体形成した状態の断面図
【図８】他の掲示物パネル装置の正面図
【図９】図８のＢーＢ線上の拡大断面図
【図１０】図８の掲示物パネル装置の分解斜視図
【図１１】アタッチメントの拡大断面図
【図１２】掲示物パネルを並設したパネル装置の一部分解斜視図
【図１３】２つの掲示物パネルを直角に配設したパネル装置の一部分解斜視図
【図１４】(a) (b) はそれぞれ図１２及び図１３のアタッチメントの正面図
【図１５】帯状の掲示物パネルを上下に並列装着したパネル装置の一部分解斜視図
【図１６】掲示物パネルの平面図
【図１７】上記掲示物パネルの分解斜視図
【図１８】別の掲示物パネルの正面図
【図１９】図１８のＣーＣ線上の拡大断面図
【図２０】コーナー連結具の斜視図
【図２１】従来の掲示物パネル装置の一部断面斜視図
【符号の説明】
１  矩形枠
１ａ  縦材
１ｂ  横材
２  掲示物パネル
７  パネル嵌合溝
１５  コーナー連結具
【図１】
0003560314.tif 000002
【図２】
0003560314.tif 000003
【図３】
0003560314.tif 000004
【図４】
0003560314.tif 000005
【図５】
0003560314.tif 000006
【図６】
0003560314.tif 000007
【図７】
0003560314.tif 000008
【図８】
0003560314.tif 000009
【図９】
0003560314.tif 000010
【図１０】
0003560314.tif 000011
【図１１】
0003560314.tif 000012
【図１２】
0003560314.tif 000013
【図１３】
0003560314.tif 000014
【図１４】
0003560314.tif 000015
【図１５】
0003560314.tif 000016
【図１６】
0003560314.tif 000017
【図１７】
0003560314.tif 000018
【図１８】
0003560314.tif 000019
【図１９】
0003560314.tif 000020
【図２０】
0003560314.tif 000021
【図２１】
0003560314.tif 000022